(57)【要約】【課題】光ディスクを有効に利用することができる記録媒体初期化装置、記録媒体初期化方法及びプログラムを提供する。【解決手段】照射部２１は初期化情報及び初期化情報と異なる試し書き情報を記録媒体に書き込み、検出部２２は、照射部２１が書き込んだ試し書き情報を読み出す。演算部１７は、検出部２２が検出した初期化情報及び試し書き情報についての誤り率を演算する。また、誤り訂正部１５は、試し書き情報の誤りを訂正する。演算部１７が演算した試し書き情報についての誤り率が、初期化前閾値以上であると初期化前判定部１２が判定した場合には、閾値更新部１４は、演算部１７が演算した試し書き情報についての誤り率に基づいて、初期化閾値を更新する。【選択図】図１
2014106997.tif 000002
【特許請求の範囲】
【請求項１】
記録媒体を初期化するための初期化情報及び記録媒体の誤り率を演算するための試し書き情報を前記記録媒体に書き込む書込部と、
書き込んだ初期化情報及び試し書き情報を読み出す読出部と、
読み出した初期化情報及び試し書き情報を演算する演算部と、
第一の閾値を記憶してある記憶部と、
演算した初期化情報の誤り率が第一の閾値以上か否かを判定する第一の判定部と
を備え、第一の判定部の判定結果に基づいて、記録媒体を初期化する記録媒体初期化装置において、
前記記憶部は、第二の閾値を記憶してあり、
前記演算部が演算した試し書き情報の誤り率が前記記憶部に記憶されている第二の閾値以上か否かを判定する第二の判定部と、
試し書き情報の誤り率が第二の閾値以上であると前記第二の判定部が判定した場合には、前記演算部が演算した試し書き情報の誤り率に基づいて、前記記憶部に記憶されている第一の閾値をより大きい値に更新する閾値更新部と
を備えることを特徴とする記録媒体初期化装置。
【請求項２】
前記書込部は、前記記録媒体における複数の領域に初期化情報及び試し書き情報を書き込み、
前記読出部は、前記書込部が書き込んだ複数の領域毎に初期化情報及び試し書き情報を読み出し、
前記演算部は、前記読出部が複数の領域毎に読み出した初期化情報及び試し書き情報の誤り率を演算し、
前記第一の判定部は、前記記憶部に記憶された第一の閾値以上か否かを複数の領域毎に判定し、
前記第二の判定部は、複数の領域毎に前記演算部が演算した試し書き情報の誤り率が第二の閾値以上か否かを判定するようにしてある
ことを特徴とする請求項１に記載の記録媒体初期化装置。
【請求項３】
前記記録媒体は光ディスクであり、
前記書込部はビーム光を照射し、
前記読出部は光ディスクによって反射した光を検出するよう構成してある
ことを特徴とする請求項１又は２に記載の記録媒体初期化装置。
【請求項４】
記録媒体を初期化するための初期化情報、及び初期化情報の書き込み前に記録媒体の誤り率を演算するための試し書き情報を該記録媒体に書き込むステップと、
書き込んだ初期化情報及び試し書き情報を読み出すステップと、
読み出した初期化情報及び試し書き情報の誤り率を演算するステップと、
記憶されている第一の閾値を読み出すステップと、
演算した初期化情報の誤り率が第一の閾値以上か否かを判定するステップと
を含み、第一の閾値以上か否かの判定結果に基づいて、記録媒体を初期化する記録媒体初期化方法において、
演算した試し書き情報の誤り率が第二の閾値以上か否かを判定するステップと、
第二の閾値以上であると判定した場合には、試し書き情報についての誤り率に基づいて、記憶されている第一の閾値をより大きい値に更新するステップと、
初期化情報の誤り率が記憶されている第一の閾値以上か否かを判定するステップと
を含むことを特徴とする記録媒体初期化方法。
【請求項５】
記録媒体を初期化するための初期化情報、及び初期化情報の書き込み前に記録媒体の誤り率を演算するための試し書き情報を前記記録媒体に書き込み、
書き込んだ初期化情報及び試し書き情報を読み出し、
読み出した初期化情報及び試し書き情報の誤り率を演算し、
記憶されている第一の閾値を読み出し、
演算した初期化情報の誤り率が第一の閾値以上か否かを判定する
処理をコンピュータに実行させて、第一の閾値以上か否かの判定結果に基づいて、記録媒体を初期化するプログラムにおいて、
記憶されている第二の閾値を読み出し、
演算した前記試し書き情報の誤り率が第二の閾値以上か否かを判定し、
第二の閾値以上であると判定した場合には、試し書き情報についての誤り率に基づいて、記憶されている第一の閾値をより大きい値に更新し、
初期化情報の誤り率が記憶されている第一の閾値以上か否かを判定する
処理をコンピュータに実行させることを特徴とするプログラム。
【発明の詳細な説明】
【技術分野】
【０００１】
本発明は、光ディスクを初期化する装置、方法及びプログラムに関する。
【背景技術】
【０００２】
光ディスクを一例とする記録媒体に対しては、情報の記録及び再生を可能にするために、初期化といわれる処理を行う必要がある。斯かる初期化において、初期化処理装置は、ファイルシステムの識別子、パーティション情報又はファイルの名前等の初期化情報を設定するため、光ディスクに斯かる初期化情報を記録、再生する。また、記録媒体が正常に動作するか否かを判定するため、初期化処理装置は予め閾値を記録しており、初期化情報の記録及び再生時に閾値以上の誤り率が生じた場合には、光ディスクは不良であるとして、光ディスクの初期化を行わないよう処理を行っている。
【０００３】
ここで、閾値以上の誤り率が生じる理由には、光ディスクに損傷が生じる、又は光ディスクが劣化する等の他、初期化処理装置又は光ディスク個々の間での性質の相違が挙げられる。
【０００４】
特許文献１には、光ディスクにおける一部の領域で閾値以上の誤り率が発生した場合、別の領域を記録領域とする情報記録装置が記載されている。
【先行技術文献】
【特許文献】
【０００５】
【特許文献１】特開２０１１−１８７１６０号公報
【発明の概要】
【発明が解決しようとする課題】
【０００６】
しかしながら、特許文献１に記載の記録装置は、光ディスクのいずれの領域においても初期化情報の再生時に閾値以上の誤り率が生じた場合には、光ディスクを使用することができないという問題があった。
【０００７】
本発明は斯かる事情に鑑みてなされたものであり、試し書き情報の誤り率に基づいて、記録媒体に初期化を行う判定条件を緩和する記録媒体初期化装置、記録媒体初期化方法及びプログラムを提供することを目的とする。
【課題を解決するための手段】
【０００８】
本発明に係る記録媒体初期化装置は、記録媒体を初期化するための初期化情報及び記録媒体の誤り率を演算するための試し書き情報を前記記録媒体に書き込む書込部と、書き込んだ初期化情報及び試し書き情報を読み出す読出部と、読み出した初期化情報及び試し書き情報を演算する演算部と、第一の閾値を記憶してある記憶部と、演算した初期化情報の誤り率が第一の閾値以上か否かを判定する第一の判定部とを備え、第一の判定部の判定結果に基づいて、記録媒体を初期化する記録媒体初期化装置において、前記記憶部は、第二の閾値を記憶してあり、前記演算部が演算した試し書き情報の誤り率が前記記憶部に記憶されている第二の閾値以上か否かを判定する第二の判定部と、試し書き情報の誤り率が第二の閾値以上であると前記第二の判定部が判定した場合には、前記演算部が演算した試し書き情報の誤り率に基づいて、前記記憶部に記憶されている第一の閾値をより大きい値に更新する閾値更新部とを備えることを特徴とする。
【０００９】
本発明に係る記録媒体初期化装置は、前記書込部は、前記記録媒体における複数の領域に初期化情報及び試し書き情報を書き込み、前記読出部は、前記書込部が書き込んだ複数の領域毎に初期化情報及び試し書き情報を読み出し、前記演算部は、前記読出部が複数の領域毎に読み出した初期化情報及び試し書き情報の誤り率を演算し、前記第一の判定部は、前記記憶部に記憶された第一の閾値以上か否かを複数の領域毎に判定し、前記第二の判定部は、複数の領域毎に前記演算部が演算した試し書き情報の誤り率が第二の閾値以上か否かを判定するようにしてあることを特徴とする。
【００１０】
本発明に係る記録媒体初期化装置は、前記記録媒体は光ディスクであり、前記書込部はビーム光を照射し、前記読出部は光ディスクによって反射した光を検出するよう構成してあることを特徴とする。
【００１１】
本発明に係る記録媒体初期化方法は、記録媒体を初期化するための初期化情報、及び初期化情報の書き込み前に記録媒体の誤り率を演算するための試し書き情報を該記録媒体に書き込むステップと、書き込んだ初期化情報及び試し書き情報を読み出すステップと、読み出した初期化情報及び試し書き情報の誤り率を演算するステップと、記憶されている第一の閾値を読み出すステップと、演算した初期化情報の誤り率が第一の閾値以上か否かを判定するステップとを含み、第一の閾値以上か否かの判定結果に基づいて、記録媒体を初期化する記録媒体初期化方法において、演算した試し書き情報の誤り率が第二の閾値以上か否かを判定するステップと、第二の閾値以上であると判定した場合には、試し書き情報についての誤り率に基づいて、記憶されている第一の閾値をより大きい値に更新するステップと、初期化情報の誤り率が記憶されている第一の閾値以上か否かを判定するステップとを含むことを特徴とする。
【００１２】
本発明に係るプログラムは、記録媒体を初期化するための初期化情報、及び初期化情報の書き込み前に記録媒体の誤り率を演算するための試し書き情報を前記記録媒体に書き込み、書き込んだ初期化情報及び試し書き情報を読み出し、読み出した初期化情報及び試し書き情報の誤り率を演算し、記憶されている第一の閾値を読み出し、演算した初期化情報の誤り率が第一の閾値以上か否かを判定する処理をコンピュータに実行させて、第一の閾値以上か否かの判定結果に基づいて、記録媒体を初期化するプログラムにおいて、記憶されている第二の閾値を読み出し、演算した前記試し書き情報の誤り率が第二の閾値以上か否かを判定し、第二の閾値以上であると判定した場合には、試し書き情報についての誤り率に基づいて、記憶されている第一の閾値をより大きい値に更新し、初期化情報の誤り率が記憶されている第一の閾値以上か否かを判定する処理をコンピュータに実行させることを特徴とする。
【発明の効果】
【００１３】
本発明によれば、演算した試し書き情報の誤り率に基づいて、記憶されている一の閾値を予め記憶されている値よりも大きい値に更新するので、記録媒体に記録された初期化情報の誤り率が予め記憶されている一の閾値より大きい場合でも、記録媒体の初期化を行うことができ、記録媒体を有効に利用することができる。
【図面の簡単な説明】
【００１４】
【図１】記録媒体初期化装置を示すブロック図である。
【図２】制御部の処理を示すフローチャートである。
【図３】制御部の処理を示すフローチャートである。
【発明を実施するための形態】
【００１５】
以下、本発明の実施の形態について説明する。図１は記録媒体初期化装置を示すブロック図である。記録媒体初期化装置は、例えばＣＤドライブ、ＤＶＤドライブ、Ｂｌｕ−ｒａｙ（登録商標）ドライブ等である。
【００１６】
記録媒体初期化装置は、制御部１、光ピックアップ部２、回転部３、記憶部４及びインタフェース部５を含む。さらに制御部１は、照射設定部１１、第二の判定部である初期化前判定部１２、第一の判定部である初期化判定部１３、閾値更新部１４、誤り訂正部１５、回転設定部１６及び演算部１７を含む。光ピックアップ部２は照射部２１（書込部）及び検出部２２（読出部）を含む。
【００１７】
光ピックアップ部２における照射部２１は例えばレーザ光源等のビーム光源であり、ＣＤ、ＤＶＤ又はＢｌｕ−ｒａｙ（登録商標）ディスク等の光ディスク６にビーム光である光信号を照射することにより、光ディスク６にデータを記録させる。照射部２１は照射設定部１１から入力した指示信号に従い、所定強度の光信号を光ディスク６の所定位置に照射する。照射部２１が照射した光信号は光ディスク６により反射される。
【００１８】
検出部２２はフォトディテクタであり、光ディスク６が反射した光信号を検出し、また、検出した光信号を電気信号に変換して、制御部１に出力する。
【００１９】
回転部３は、回転駆動するモータであり、光ディスク６を載置することができる。回転部３は、回転設定部１６から入力した信号に従い、載置された光ディスク６を回転させる。
【００２０】
記憶部４は、ＨＤＤ（Hard Disk Drive）又はＳＳＤ（Solid State Drive）等である。記憶部４には、予め初期化前閾値及び初期化閾値の情報が記憶されている。初期化前閾値とは、記録媒体初期化装置が光ディスク６に記録した試し書きについての情報を再生する際に、検出部２２が検出し、変換した電気信号の誤り率の上限を示した値である。初期化閾値とは光ディスク６を初期化させるべく、記録媒体初期化装置が光ディスク６に記録した初期化情報を再生させる際に、検出部２２が検出し、変換した電気信号の誤り率の上限を示した値である。初期化情報とは、ファイルシステムの識別子、パーティション情報又はファイルの名前等についての初期設定等を示す管理情報である。また、記憶部４は、閾値更新部１４で更新が行われた場合には、更新された初期化閾値の情報を入力し、記憶する。
【００２１】
制御部１はＣＰＵ（Central Processing Unit）又はＭＰＵ（Micro-Processing Unit）等である。照射設定部１１は、インタフェース部５を介して入力された指示信号に基づいて、照射部２１が照射する光の強度及び照射位置を設定する指示信号を作成する。照射設定部１１は、作成した指示信号を照射部２１に出力する。なお、指示信号に係る情報は記憶部４に記憶されており、照射設定部１１は、適宜指示信号に係る情報を記憶部４から読み出して、指示信号を作成するようにしてもよい。
【００２２】
回転設定部１６は、インタフェース部５を介して入力された指示信号に基づいて、回転部３の駆動を制御する。
【００２３】
演算部１７は、検出部２２で変換された電気信号のデータを入力し、斯かるデータの誤り率を演算する。誤り率とは、特定のデータ量あたりの誤ったデータ数を示すものである。
【００２４】
さらに、誤り訂正部１５は、入力したデータの誤りを訂正する。誤り訂正部１５は、例えば光ディスク６のＰＩ（Parity Inner）及びＰＯ（Parity Outer）と言われる領域のデータを用いて、ＥＣＣ（Error Collection Code）ブロックと呼ばれる情報のブロック単位で、入力したデータの誤りを訂正する。
【００２５】
誤り訂正部１５は、誤りを訂正したデータを、インタフェース部５を介して電子機器７に送信する。また、誤り訂正部１５は、誤り率を示す情報を初期化前判定部１２及び初期化判定部１３に出力する。また、誤り訂正部１５は、誤り率の情報を閾値更新部１４に出力する。
【００２６】
初期化前判定部１２は、記憶部４から、初期化前閾値の情報を読み出す。初期化前判定部１２は、誤り訂正部１５から入力した試し書き情報の誤り率が、記憶部４から読み出した情報に係る初期化前閾値以上か否かを判定する。初期化前判定部１２は、試し書き情報を、インタフェース部５を介して、例えばパーソナルコンピュータ又はテレビジョン受信機等の電子機器７に送信する。
【００２７】
また、初期化判定部１３は、初期化閾値の情報を読み出す。誤り訂正部１５から入力した初期化情報の誤り率が、記憶部４から読み出した初期化閾値以上か否かを判定する。初期化判定部１３は、判定結果を誤り訂正部１５に出力する。また、初期化判定部１３は、初期化情報を、夫々インタフェース部５を介して、例えばパーソナルコンピュータ又はテレビジョン受信機等の電子機器７に送信する。
【００２８】
閾値更新部１４は、初期化情報に係る誤り率の情報に基づき、初期化閾値を更新する。ここで、初期化閾値の更新方法に限定はないが、閾値更新部１４は、入力した誤り率の情報に係る誤り率が初期化閾値以下となるように、初期化閾値を更新する。
【００２９】
なお、光ディスク６の破損又は劣化が激しい等の状態の場合には、誤り率が非常に高くなるが、誤り訂正部１５が訂正することができる能力にも限界がある。このような場合に鑑み、閾値更新部１４は、誤り率に上限を設定し、誤り率が上限を超えた場合には、初期化閾値を更新しないようにしてもよい。この場合、閾値更新部１４は、誤り率が上限を超えていることを示す信号を誤り訂正部１５に出力するようにしてもよい。
【００３０】
インタフェース部５は、電子機器７と接続し、信号の送受信を行う。なお、本実施の形態に係る記録媒体初期化装置は、電子機器７に内蔵されてあるような構成であってもよい。
【００３１】
本実施の形態に係る記録媒体初期化装置の動作を説明する。照射設定部１１は、インタフェース部５を介して入力した指示信号に従い、照射部２１が照射するレーザ光の強度及び位置を指示する指示信号を出力する。指示信号の内容は光ディスク６にいわゆる試し書きを行うものである。
【００３２】
一般に、光ディスク６にデータの記録を適切に行うため、光ディスク６には、固有の特性又は環境条件等に適した光の出力を調整するＯＰＣ（Optimum Power Control ）と言われる動作を行う必要がある。このＯＰＣによる情報の記録が試し書きである。
【００３３】
ＯＰＣは、光ディスク６の最内周部にあるＰＣＡ（Power Calibration Area）領域で行われる。ＰＣＡは、テストエリアとカウントエリアの２つに分割されているところ、試し書きでは、このテストエリアに所定のデータを記憶させる。
【００３４】
照射設定部１１が設定した強度及び位置に従い、照射部２１が光を光ディスク６に照射することにより試し書き情報を記憶させる。光ディスク６は照射された光を反射する。検出部２２は光ディスク６によって反射された光を検出することにより、記録された試し書き情報を再生する。また、検出部２２は、検出した光信号を電気信号に変換する。これら記録及び再生についての処理は、連続して行われる。検出部２２は検出した信号を、演算部１７及び誤り訂正部１５に出力する。
【００３５】
演算部１７は、検出部２２から入力した試し書き情報の誤り率を演算し、誤り率を示す情報を初期化前判定部１２に出力する。また、誤り訂正部１５は、検出部２２から入力した試し書き情報の誤りを訂正する。
【００３６】
初期化前判定部１２は、入力した試し書き情報の信号についての誤り率が、初期化前閾値以上か否かを判定する。初期化前判定部１２は、記憶部４から初期化前閾値の情報を読み出す。判定した結果、検出部２２から入力した試し書き情報の誤り率が初期化前閾値未満である場合は、初期化前判定部１２は、誤り率が初期化前閾値未満であることを示す情報を誤り訂正部１５に出力する。
【００３７】
誤り訂正部１５は、誤りを訂正した試し書き情報を、インタフェース部５を介して電子機器７に送信する。また、誤り訂正部１５は、併せて、初期化を行う準備が完了したことを示す情報を電子機器７に送信するようにしてもよい。この場合、初期化を行う準備が完了したことを示す情報は予め記憶部４に記憶されており、誤り訂正部１５が初期化を行う準備が完了したことを示す情報を記憶部４から読み出すようにしてもよい。
【００３８】
判定した結果、入力された試し書き情報に係る誤り率が初期化前閾値以上である場合は、初期化前判定部１２は、試し書き情報の誤り率を示す情報を閾値更新部１４に出力する。
【００３９】
閾値更新部１４は、初期化前判定部１２から入力した試し書き情報の誤り率に基づき、新たに初期化閾値を更新する。閾値更新部１４は、更新した初期化閾値についての情報を記憶部４に出力する。記憶部４は閾値更新部１４から入力した初期化閾値についての情報を記憶する。また、誤り訂正部１５は、初期化を行う準備が完了したことを示す情報を、インタフェース部５を介して電子機器７に送信するようにしてもよい。
【００４０】
誤り訂正部１５が訂正した試し書き情報を出力した場合は、インタフェース部５を介して、電子機器７は初期化情報を、照射設定部１１に送信する。
【００４１】
照射設定部１１は、光ディスク６に斯かる初期化情報を記憶させる処理を行い、また、検出部２２は初期化情報を読み出す処理を行う。これら記録及び再生についての処理は、連続して行われる。演算部１７は、検出部２２が検出した初期化情報についての誤り率を演算する。
【００４２】
演算部１７は、検出部２２から入力した初期化情報の誤り率を演算し、誤り率を示す情報を初期化判定部１３に出力する。また、誤り訂正部１５は、検出部２２から入力した初期化情報の誤りを訂正する。
【００４３】
閾値更新部１４が初期化閾値を更新した場合は、爾後、初期化判定部１３は初期化において光ディスク６を再生するにあたり、更新された初期化閾値を用いて、光ディスク６の初期化の可否を判定する。初期化閾値の更新を行わなかった場合は、初期化判定部１３は、記憶部４に予め記憶されている初期化閾値を用いて、光ディスク６の初期化の可否を判定する。
【００４４】
初期化判定部１３は、入力した初期化情報の信号についての誤り率が、初期化閾値以上か否かを判定する。判定した結果、検出部２２から入力した初期化情報の誤り率が初期化閾値未満である場合は、初期化は成功しているものと判定し、初期化判定部１３は誤り訂正部１５に誤り訂正を継続させる。
【００４５】
誤り訂正部１５は、誤りを訂正した初期化情報を、インタフェース部５に出力する。判定した結果、検出部２２から入力した初期化情報の誤り率が初期化閾値以上である場合は、初期化は失敗したものと判定し、初期化判定部１３は誤り訂正部１５に誤り訂正を停止させ、処理を終了する。この場合、初期化判定部１３は、処理を終了するとともに、又は処理を終了することに代えて、初期化に失敗したことを示す情報を、インタフェース部５を介して電子機器７に送信するようにしてもよい。また、初期化判定部１３は初期化情報の入力が完了したか否かを判定し、完了した場合にも処理を終了する。この場合、初期化判定部１３は、初期化が終了したことを示す情報を、インタフェース部５を介して電子機器７に送信するようにしてもよい。
【００４６】
本実施の形態に係る制御部１の処理について説明する。図２及び図３は、制御部１の処理を示すフローチャートである。制御部１の照射設定部１１は、照射部２１に、設定した強度及び位置の光を光ディスク６に照射することにより、試し書き情報を記録させる（ステップＳ１）。検出部２２は光ディスク６によって反射された光信号を電気信号に変換し、検出部２２は検出した信号を、演算部１７及び誤り訂正部１５に出力することにより、照射設定部１１は、試し書き情報を再生させる（ステップＳ２）。
【００４７】
演算部１７は、検出部２２から入力した試し書き情報の誤り率を演算し（ステップＳ３）、誤り率を示す情報を初期化前判定部１２に出力する（ステップＳ４）。また、誤り訂正部１５は、検出部２２から入力した試し書き情報の誤りを訂正する（ステップＳ５）。誤り訂正部１５は、誤りを訂正した試し書き情報を、インタフェース部５を介して電子機器７に送信する（ステップＳ６）。
【００４８】
初期化前判定部１２は記憶部４から初期化前閾値の情報を読み出す（ステップＳ７）。初期化前判定部１２は、入力した試し書き情報の信号についての誤り率が、初期化前閾値以上か否かを判定する（ステップＳ８）。判定した結果、検出部２２から入力した試し書き情報の誤り率が初期化前閾値未満である場合は（ステップＳ８でＮＯ）、初期化前判定部１２は、試し書き情報の再生が完了したか否かを判定し（ステップＳ９）、完了した場合には（ステップＳ９でＹＥＳ）、試し書きが正常に完了したことを示す情報を、インタフェース部５を介して電子機器７に送信する（ステップＳ１０）。完了していない場合には（ステップＳ９でＮＯ）、初期化前判定部１２は誤り訂正部１５には試し書き情報の誤りを訂正する処理を継続させる（Ｓ５に戻す）。
【００４９】
判定した結果、入力された試し書き情報に係る誤り率が初期化前閾値以上である場合は（ステップＳ８でＹＥＳ）、初期化前判定部１２は、試し書き情報の誤り率を示す情報を閾値更新部１４に出力する（ステップＳ１１）。
【００５０】
閾値更新部１４は、初期化前判定部１２から入力した試し書き情報に係る誤り率に基づき、新たに初期化閾値を更新する（ステップＳ１２）。閾値更新部１４は、更新した初期化閾値についての情報を記憶部４に出力し、記憶部４に記憶させる（ステップＳ１３）。初期化閾値についての情報を記憶部４に記憶させた後、初期化前判定部１２は、試し書きが正常に終了したことを示す情報を、インタフェース部５を介して電子機器７に送信する（ステップＳ１０）。
【００５１】
電子機器７が送信した初期化情報を、照射設定部１１は受信する（ステップＳ１４）。照射設定部１１は、光ディスク６に斯かる初期化情報を記録させる（ステップＳ１５）。検出部２２は初期化情報を読み出す処理を行うことにより、再生させる（ステップＳ１６）。
【００５２】
演算部１７は、検出部２２から入力した初期化情報の誤り率を演算し（ステップＳ１７）、誤り率を示す情報を初期化判定部１３に出力する（ステップＳ１８）。また、誤り訂正部１５は、検出部２２から入力した初期化情報の誤りを訂正する（ステップＳ１９）。誤り訂正部１５は、誤りを訂正した初期化情報を、インタフェース部５を介して電子機器７に送信する（ステップＳ２０）。
【００５３】
初期化判定部１３は記憶部４から初期化閾値の情報を読み出す（ステップＳ２１）。初期化判定部１３は、入力した初期化情報の信号についての誤り率が、初期化閾値以上か否かを判定する（ステップＳ２２）。判定した結果、検出部２２から入力した初期化情報の誤り率が初期化閾値未満である場合は（ステップＳ２２でＮＯ）、初期化判定部１３は初期化情報の再生が完了したか否かを判定し（ステップＳ２３）、完了した場合には（ステップＳ２３でＹＥＳ）処理を終了する。完了していない場合には（ステップＳ２３でＮＯ）、初期化判定部１３は誤り訂正部１５に誤り訂正を継続させる（Ｓ１９に戻す）。
【００５４】
判定した結果、検出部２２から入力した初期化情報の誤り率が初期化閾値以上である場合は（ステップＳ２２でＹＥＳ）、初期化判定部１３は誤り訂正部１５に誤りを訂正する処理を停止させ（ステップＳ２４）、処理を終了する。
【００５５】
以上、本実施の形態に係る記録媒体初期化装置によれば、検出した光ディスク６の誤り率が予め設定された初期化閾値より高い場合であっても初期化を行うことができるので、記録媒体を有効に活用することができる。
【００５６】
なお、本実施の形態では記録媒体として光ディスク６を用いて説明したが、初期化が必要なフラッシュメモリ、ＳＳＤ等他の記録媒体であってもよい。この場合、照射部２１は記録媒体に情報を書き込む書込部として機能し、検出部２２は、記録媒体に記録された情報を読み出す読出部として機能する。
【００５７】
初期化閾値は、光ディスク６の全領域を通じて一定であってもよいし、複数の領域毎に異なる値であってもよい。
【００５８】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００５９】
１  制御部
２  光ピックアップ部
３  回転部
４  記憶部
５  インタフェース部
６  光ディスク
７  電子機器
１１  照射設定部
１２  初期化前判定部
１３  初期化判定部
１４  閾値更新部
１５  誤り訂正部
１６  回転設定部
１７  演算部
２１  照射部
２２  検出部
【図１】
2014106997.tif 000003
【図２】
2014106997.tif 000004
【図３】
2014106997.tif 000005